(57)【要約】【課題】例えば、結露が生じ難い乗りかごを得る。【解決手段】実施形態のエレベータの乗りかごは、例えば、第一の壁部と、第二の壁部と、遮蔽部材と、を備える。第一の壁部は、かごの内側面を構成する。第二の壁部は、第一の壁部と間隔をあけて設けられる。遮蔽部材は、第一の壁部と第二の壁部との間に設けられ、空調装置で調整され第一の壁部と第二の壁部との間に吹き出された調整気流が第一の壁部または第二の壁部に当たるのを遮る。【選択図】図１
2017114603.tif 000002
【特許請求の範囲】
【請求項１】
かごの内側面を構成する第一の壁部と、
前記第一の壁部と間隔をあけて設けられた第二の壁部と、
前記第一の壁部と前記第二の壁部との間に設けられ、空調装置で調整され前記第一の壁部と前記第二の壁部との間に吹き出された調整気流が前記第一の壁部または前記第二の壁部に当たるのを遮る遮蔽部材と、
を備えた、エレベータの乗りかご。
【請求項２】
前記遮蔽部材は、ダクトを含む、請求項１に記載のエレベータの乗りかご。
【請求項３】
前記遮蔽部材と前記第一の壁部または前記第二の壁部との間に、隙間が設けられた、請求項１または２に記載のエレベータの乗りかご。
【請求項４】
前記遮蔽部材は、断熱材によって構成された、請求項１〜３のうちいずれか一つに記載のエレベータの乗りかご。
【請求項５】
かごの内側面を構成する第一の壁部と、
前記第一の壁部と間隔をあけて設けられ、当該第一の壁部との間に空調装置で調整された調整気流が吹き出されるよう構成された第二の壁部と、
前記第一の壁部および前記第二の壁部のうち少なくとも一方に設けられた電熱線と、
を備えた、エレベータの乗りかご。
【発明の詳細な説明】
【技術分野】
【０００１】
本発明の実施形態は、エレベータの乗りかごに関する。
【背景技術】
【０００２】
従来、空調装置が設けられたエレベータの乗りかごが知られている。
【先行技術文献】
【特許文献】
【０００３】
【特許文献１】特開２００７−３１０８８号公報
【発明の概要】
【発明が解決しようとする課題】
【０００４】
この種の乗りかごでは、例えば、空調装置からかご内に吹き出された冷風が乗りかごの壁部に当たって壁部が冷やされることにより、結露が生じてしまう虞があった。すなわち、結露が生じ難い乗りかごが得られれば、好ましい。
【課題を解決するための手段】
【０００５】
実施形態のエレベータの乗りかごは、例えば、第一の壁部と、第二の壁部と、遮蔽部材と、を備える。第一の壁部は、かごの内側面を構成する。第二の壁部は、第一の壁部と間隔をあけて設けられる。遮蔽部材は、第一の壁部と第二の壁部との間に設けられ、空調装置で調整され第一の壁部と第二の壁部との間に吹き出された調整気流が第一の壁部または第二の壁部に当たるのを遮る。
【図面の簡単な説明】
【０００６】
【図１】図１は、第１実施形態のエレベータの乗りかごの例示的かつ模式的な概略構成図（側面図、一部断面図）である。
【図２】図２は、図１の一部の例示的かつ模式的な断面図である。
【図３】図３は、第２実施形態のエレベータの乗りかごの一部の例示的かつ模式的な断面図である。
【図４】図４は、第３実施形態のエレベータの乗りかごの一部の例示的かつ模式的な断面図である。
【図５】図５は、第４実施形態のエレベータの乗りかごの一部の例示的かつ模式的な断面図である。
【図６】図６は、第４実施形態のエレベータの乗りかごの電熱線の例示的かつ模式的な正面図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。
【０００９】
＜第１実施形態＞
図１に示されるように、乗りかご１は、例えば、かご２と、照明ユニット３と、空調装置４と、遮蔽部材５と、を備える。乗りかご１は、鉛直方向、すなわち図１の上下方向に沿って延びたエレベータの昇降路内を移動可能に設けられている。
【００１０】
かご２は、例えば、鉛直方向に縦長の直方体の箱状に構成されている。かご２は、複数の壁部２ａ〜２ｃを有する。本実施形態では、一対の壁部２ａが図１の左右方向に間隔をあけて互いに平行に設けられ、一対の壁部２ｃが図１の紙面と垂直な方向に間隔をあけて互いに平行に設けられている。壁部２ａ，２ｃは、側壁部等と称されうる。壁部２ａ，２ｃは、それぞれ、かご２の内側を向いた面２ｄと、かご２の外側を向いた面２ｅと、を有する。本実施形態では、壁部２ａ，２ｃは、第一の壁部の一例であり、面２ｄは、内側面の一例である。
【００１１】
また、壁部２ｃのうち図１に示される一方には、乗りかご１側の扉２ｘや、操作部２ｙ等が設けられている。扉２ｘは、壁部２ｃに設けられた開口部（不図示）を開閉可能に覆う。扉２ｘは、スライドドアである。扉２ｘは、図１の左右方向に沿って、閉位置（図１参照）と開位置（不図示）との間で移動する。また、操作部２ｙには、扉２ｘの開閉ボタンや、行先階ボタン（かご呼びボタン）等が設けられている。
【００１２】
また、本実施形態では、一対の壁部２ｂが図１の上下方向に間隔をあけて互いに平行に設けられている。壁部２ｂのうち図１に示される一方は、上壁部や天壁部等と称され、他方は、下壁部や底壁部等と称されうる。壁部２ｂは、それぞれ、かご２の内側を向いた面２ｆと、かご２の外側を向いた面２ｇと、を有する。図１に示されるように、本実施形態では、空調装置４は、壁部２ｂ（上壁部）の面２ｇに取り付けられている。
【００１３】
また、図２にも示されるように、壁部２ｂ（上壁部）には、空調装置４からの調整気流Ｗをかご２内に取り込むための開口部２ｈが設けられている。開口部２ｈは、例えば、壁部２ｂの縁部に沿って延びた四角形状または円形状の貫通孔である。本実施形態では、開口部２ｈは、空調装置４の図１の左右両側の二箇所と、空調装置４の図１の紙面と垂直な方向の両側の二箇所と、の合計四箇所に設けられている。壁部２ａ〜２ｃは、例えば、金属材料等によって構成されうる。
【００１４】
照明ユニット３は、例えば、壁部３ａや壁部３ｂ等を有した吊り部材３１と、照明器具（不図示）と、を有する。図１に示されるように、壁部３ｂは、壁部２ｂ（上壁部）の下方に位置され、当該壁部２ｂに沿って延びている。壁部３ｂは、下側天井や第一天井等とも称され、壁部２ｂ（上壁部）は、上側天井や第二天井等とも称されうる。すなわち、本実施形態では、乗りかご１は、これら壁部３ｂおよび壁部２ｂによって、二重天井となっており、これら壁部３ｂと壁部２ｂとの間の空間部に、照明器具が設けられている。照明器具から照射された光は、例えば、壁部３ｂに設けられた光透過部（不図示）を透過することにより、かご２内が照らされる。壁部３ｂは、かご２の天壁部と称されうるとともに、照明ユニット３の底壁部とも称されうる。また、壁部３ａは、照明ユニット３の側壁部と称されうる。
【００１５】
また、壁部３ａは、かご２の内側で壁部２ａ，２ｃと間隔をあけて設けられている。壁部３ａは、全体としては、壁部２ａ，２ｃに沿った角筒状（角管状）に構成されている。図２に示されるように、壁部３ａは、例えば、第一の部分３ａ１や、第二の部分３ａ２、第三の部分３ａ３等を有する。第一の部分３ａ１は、壁部３ｂの周縁部から、上方に突出している。第一の部分３ａ１は、壁部２ａ，２ｃよりもかご２の内側に位置され、壁部２ａ，２ｃに沿って延びている。
【００１６】
壁部３ａの第二の部分３ａ２は、第一の部分３ａ１よりもかご２の内側かつ上側に位置され、壁部２ｂに沿って延びている。第二の部分３ａ２は、壁部２ｂ（上壁部）の面２ｆと重ねられている。第二の部分３ａ２は、フランジ部の一例である。第二の部分３ａ２と壁部２ｂとは、例えば、ねじ等の結合具によって互いに結合される。これにより、照明ユニット３とかご２とが、互いに一体化される。
【００１７】
壁部３ａの第三の部分３ａ３は、第一の部分３ａ１の上側の端部と、第二の部分３ａ２の壁部２ａ，２ｃ側の端部とを接続している。第三の部分３ａ３は、傾斜部の一例である。すなわち、第三の部分３ａ３は、壁部２ｂに対して傾斜している。第三の部分３ａ３は、上方に向かうにつれて、すなわち壁部２ｂに近づくにつれて、壁部２ａ，２ｃから遠ざかる方向に延びている。図２の視線で、第三の部分３ａ３と壁部２ｂとの交わる角度（狭い方の角度）は、１°以上９０°未満の鋭角である。本実施形態では、壁部３ａは、第二の壁部の一例である。
【００１８】
空調装置４は、例えば、冷暖房装置として構成されている。図１に示されるように、かご２の外側で空調装置４から吐出された冷風や温風等の調整気流Ｗは、開口部２ｈを介して、かご２内へと供給される。なお、空調装置４の周囲には、例えば、調整気流Ｗを開口部２ｈへと案内するダクト等の案内部材（不図示）が設けられうる。
【００１９】
遮蔽部材５は、例えば、ダクト５１として構成されている。本実施形態では、開口部２ｈに対応して、複数（例えば、四つ）のダクト５１が、壁部２ａ，２ｃと壁部３ａとの間の空間部に設けられている。ダクト５１は、全体としては、壁部３ａに沿って延びた筒状に構成されている。図１，２に示されるように、空調装置４から吐出された調整気流Ｗは、このダクト５１の筒内を通過して、かご２内へと供給される。すなわち、本実施形態では、ダクト５１によって、調整気流Ｗが壁部２ａ，２ｃおよび壁部３ａに当たるのが遮られている。
【００２０】
また、図２に示されるように、ダクト５１は、例えば、壁部３ａの第一の部分３ａ１に沿った吹出部５１ａや、第二の部分３ａ２に沿ったフランジ部５１ｂ、第三の部分３ａ３に沿った傾斜部５１ｃ等を有する。フランジ部５１ｂは、壁部２ｂ（上壁部）の面２ｇと重ねられている。フランジ部５１ｂは、例えば、ねじ等の結合具によって、壁部２ｂおよび第二の部分３ａ２とともに結合されうる。これにより、ダクト５１とかご２および照明ユニット３とが、互いに一体化される。
【００２１】
また、本実施形態では、ダクト５１が壁部２ｂに取り付けられた状態では、ダクト５１と壁部２ａ，２ｃとの間、およびダクト５１と壁部３ａとの間のそれぞれに、隙間Ｓが設けられている。隙間Ｓは、断熱層の一例である。ダクト５１は、壁部２ａ〜２ｃ（金属材料）よりも比熱が高い部材で構成され、好適には断熱材である。ダクト５１は、例えば、合成樹脂材料により構成されうる。
【００２２】
また、ダクト５１の吹出部５１ａには、部分的に、壁部２ａ，２ｃおよび壁部３ａと接触する突出部５１ｄ（ボス部）が設けられている。これにより、ダクト５１と壁部２ａ，２ｃとの間や、ダクト５１と壁部３ａとの間等に、隙間Ｓが確保されやすくなる。なお、隙間Ｓには、当該隙間Ｓを保持するためのスペーサ部材等が設けられてもよい。この場合、スペーサ部材は、好適には断熱材によって構成される。
【００２３】
以上のように、本実施形態では、例えば、乗りかご１は、かご２の面２ｄ（内側面）を構成する壁部２ａ，２ｃ（第一の壁部）と、壁部２ａ，２ｃと間隔をあけて設けられた壁部３ａ（第二の壁部）と、壁部２ａ，２ｃと壁部３ａとの間に設けられ、空調装置４で調整され壁部２ａ，２ｃと壁部３ａとの間に吹き出された調整気流Ｗが壁部２ａ，２ｃおよび壁部３ａに当たるのを遮る遮蔽部材５と、を備える。よって、本実施形態によれば、遮蔽部材５によって、壁部２ａ，２ｃおよび壁部３ａに調整気流Ｗが当たるのを抑制することができる。例えば、壁部２ａ，２ｃおよび壁部３ａに冷やされた調整気流Ｗ（冷風）が当たり、壁部２ａ，２ｃおよび壁部３ａが冷やされると、かご２内の湿度の上昇や、照明ユニット３による温度上昇等に伴って、結露が生じる虞がある。この点、本実施形態によれば、遮蔽部材５によって、壁部２ａ，２ｃおよび壁部３ａに冷やされた調整気流Ｗが当たるのが抑制されるため、壁部２ａ，２ｃおよび壁部３ａに結露が生じ難くなる。また、遮蔽部材５は、壁部２ａ，２ｃおよび壁部３ａに暖められた調整気流Ｗ（温風）が当たるのも抑制することができる。よって、遮蔽部材５は、壁部２ａ，２ｃおよび壁部３ａが調整気流Ｗにより暖められることに起因して結露が生じるのも、抑制することができる。よって、本実施形態によれば、遮蔽部材５によって結露がより生じ難い乗りかご１が得られやすく、ひいては乗りかご１のメンテナンス作業の頻度が低減したりしうる。
【００２４】
また、本実施形態では、例えば、遮蔽部材５は、ダクト５１を含む。よって、本実施形態によれば、例えば、ダクト５１によって、壁部２ａ，２ｃおよび壁部３ａに調整気流Ｗが当たるのを遮る遮蔽部材５が、比較的簡素な構成で実現されうる。また、分割された遮蔽部材５が壁部２ａ，２ｃおよび壁部３ａに貼り付けられる場合に比べて、取り付けや取り外しの手間が減る場合もある。
【００２５】
また、本実施形態では、例えば、ダクト５１（遮蔽部材５）と壁部２ａ，２ｃとの間、およびダクト５１（遮蔽部材５）と壁部３ａとの間のそれぞれに、隙間Ｓが設けられている。よって、本実施形態によれば、例えば、隙間Ｓが緩衝層（断熱層）として機能するため、壁部２ａ，２ｃおよび壁部３ａが冷やされたり暖められたりするのがより抑制され、ひいては壁部２ａ，２ｃおよび壁部３ａに結露がより生じ難くなる。
【００２６】
また、本実施形態では、例えば、ダクト５１（遮蔽部材５）は、断熱材によって構成されている。よって、本実施形態によれば、例えば、断熱材によって調整気流Ｗから壁部２ａ，２ｃおよび壁部３ａへの熱伝達が抑制されるため、壁部２ａ，２ｃおよび壁部３ａに結露がより一層生じ難くなる。
【００２７】
＜第２実施形態＞
図３に示される実施形態の乗りかご１Ａは、上記第１実施形態の乗りかご１と同様の構成を備えている。よって、本実施形態によっても、上記第１実施形態と同様の構成に基づく同様の結果（効果）が得られる。
【００２８】
ただし、本実施形態では、例えば、図３に示されるように、遮蔽部材５Ａが被覆部材５２として構成されている点が、上記実施形態と相違している。被覆部材５２は、それぞれ、壁部２ａ，２ｃおよび壁部３ａに沿って延びた板状に構成され、当該壁部２ａ，２ｃの面２ｄおよび壁部３ａの表面を覆っている。被覆部材５２は、例えば、断熱材であり、好適には透明な材料（例えば、合成樹脂材料等）によって構成される。被覆部材５２は、シートや、ライナー、カバー、プレート、パネル、貼付部材等とも称されうる。被覆部材５２は、例えば、ネジ等の結合具や、両面テープ、接着剤等によって、壁部２ａ，２ｃおよび壁部３ａと結合される。よって、本実施形態によれば、例えば、被覆部材５２によって、壁部２ａ，２ｃおよび壁部３ａに調整気流Ｗが当たるのが抑制されるため、壁部２ａ，２ｃおよび壁部３ａに結露がより生じ難くなる。また、被覆部材５２が透明な材料で構成されているため、例えば、被覆部材５２が不透明な材料で構成された場合に比べて、美観が損なわれ難く構成できる。
【００２９】
また、図３に示されるように、本実施形態では、被覆部材５２の下端部には、偏向部５２ａ，５２ｂが設けられている。偏向部５２ａ，５２ｂは、例えば、調整気流Ｗの上流側から下流側に向かって徐々に壁部２ａ，２ｃから離れるように傾斜した傾斜面を有したエッジ部である。よって、本実施形態によれば、例えば、偏向部５２ａ，５２ｂによって、調整気流Ｗを壁部２ａ，２ｃから離れる方向にガイドすることができるため、壁部２ａ，２ｃに結露がより生じ難くなる。また、かご２内のより広い範囲で、結露が生じ難くなる。なお、本実施形態では、偏向部５２ａ，５２ｂがエッジ部によって構成された場合が例示されたが、これには限定されず、例えば、被覆部材５２（遮蔽部材５Ａ）の下端部に、フィンやルーバー等の偏向部材が設けられてもよい。
【００３０】
＜第３実施形態＞
図４に示される実施形態の乗りかご１Ｂは、上記第２実施形態の乗りかご１Ａと同様の構成を備えている。よって、本実施形態によっても、上記第２実施形態と同様の構成に基づく同様の結果（効果）が得られる。
【００３１】
ただし、本実施形態では、例えば、図４に示されるように、被覆部材５３（遮蔽部材５Ｂ）に、かご２内まで延びた延長部５３ａが設けられている点が、上記実施形態と相違している。延長部５３ａの表面５３ａ１は、例えば、意匠面や、着色面、装飾面（処理面）として構成されうる。すなわち、表面５３ａ１には、デザイン、パターン、マーク、模様、絵、図表、文字等が施されうる。本実施形態によれば、例えば、延長部５３ａによって、壁部２ａ，２ｃのより広い範囲で結露が生じ難くなる。また、延長部５３ａの表面５３ａ１に、デザイン等の処理が施されている分、延長部５３ａの表面５３ａ１が剥き出しあるいは何らかの処理が施されていない場合に比べて、美観が損なわれ難く構成できる。
【００３２】
＜第４実施形態＞
図５，６に示される実施形態の乗りかご１Ｃは、上記第１実施形態の乗りかご１と同様の構成を備えている。よって、本実施形態によっても、上記第１実施形態と同様の構成に基づく同様の結果（効果）が得られる。
【００３３】
ただし、本実施形態では、例えば、図５，６に示されるように、壁部２ａ，２ｃの面２ｅ、および壁部３ａの裏面に電熱線６が設けられている点が、上記実施形態と相違している。よって、本実施形態によれば、例えば、電熱線６の通電に伴う抵抗加熱により壁部２ａ，２ｃおよび壁部３ａの温度が上昇するため、壁部２ａ，２ｃおよび壁部３ａに結露が生じ難くなる。また、例えば、結露により壁部２ａ，２ｃおよび壁部３ａに付着した水が蒸発するため、壁部２ａ，２ｃおよび壁部３ａが結露した状態を比較的速やかに解消できる。なお、電熱線６は、上記実施形態の遮蔽部材５，５Ａ，５Ｂとともに設置することもできる。この場合、電熱線６は、例えば、壁部２ａ，２ｃ，３ａの、遮蔽部材５，５Ａ，５Ｂの下縁よりも下方となる位置に、設けてもよい。
【００３４】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３５】
１，１Ａ，１Ｂ，１Ｃ…乗りかご、２…かご、２ａ，２ｃ…壁部（第一の壁部）、２ｄ…面（内側面）、３ａ…壁部（第二の壁部）、４…空調装置、５，５Ａ，５Ｂ…遮蔽部材、５１…ダクト、６…電熱線、Ｓ…隙間、Ｗ…調整気流。
【図１】
2017114603.tif 000003
【図２】
2017114603.tif 000004
【図３】
2017114603.tif 000005
【図４】
2017114603.tif 000006
【図５】
2017114603.tif 000007
【図６】
2017114603.tif 000008
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
かごの側面を構成する第一の壁部と、
前記第一の壁部と間隔をあけて設けられた第二の壁部と、
前記第一の壁部と前記第二の壁部との間に設けられ、空調装置で調整され前記第一の壁部と前記第二の壁部との間に吹き出された調整気流が少なくとも前記第一の壁部に当たるのを遮る遮蔽部材と、
を備え、
前記遮蔽部材には、前記調整気流の上流側から下流側に向かって前記第一の壁部から離れるように延びた傾斜面が設けられた、エレベータの乗りかご。
【請求項２】
前記遮蔽部材は、ダクトを含む、請求項１に記載のエレベータの乗りかご。
【請求項３】
前記遮蔽部材と前記第一の壁部または前記第二の壁部との間に、隙間が設けられた、請求項１または２に記載のエレベータの乗りかご。
【請求項４】
前記遮蔽部材は、断熱材によって構成された、請求項１〜３のうちいずれか一つに記載のエレベータの乗りかご。
【請求項５】
かごの側面を構成する第一の壁部と、
前記第一の壁部と間隔をあけて設けられ、当該第一の壁部との間に空調装置で調整された調整気流が吹き出されるよう構成された第二の壁部と、
前記第一の壁部および前記第二の壁部のうち少なくとも一方に設けられ、当該一方を温めることによって前記調整気流が前記一方に当たることで生じる結露を抑制する電熱線と、
を備えた、エレベータの乗りかご。
【手続補正２】
【補正対象書類名】明細書
【補正対象項目名】０００５
【補正方法】変更
【補正の内容】
【０００５】
実施形態のエレベータの乗りかごは、例えば、第一の壁部と、第二の壁部と、遮蔽部材と、を備える。第一の壁部は、かごの側面を構成する。第二の壁部は、第一の壁部と間隔をあけて設けられる。遮蔽部材は、第一の壁部と第二の壁部との間に設けられ、空調装置で調整され第一の壁部と第二の壁部との間に吹き出された調整気流が少なくとも第一の壁部に当たるのを遮る。遮蔽部材には、調整気流の上流側から下流側に向かって第一の壁部から離れるように延びた傾斜面が設けられる。
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
かごの側面を構成する第一の壁部と、
前記第一の壁部と間隔をあけて設けられた第二の壁部と、
前記第一の壁部と前記第二の壁部との間に設けられ、空調装置で調整され前記第一の壁部と前記第二の壁部との間に吹き出された調整気流が少なくとも前記第一の壁部に当たるのを遮る遮蔽部材と、
を備え、
前記遮蔽部材には、前記第二の壁部の第一の下端面と同一平面上に並ぶように位置された第二の下端面と、前記第二の下端面と当該遮蔽部材の前記調整気流側の内面との間に渡って設けられ前記調整気流の上流側から下流側に向かって前記第一の壁部から離れるように延びた傾斜面と、が設けられた、エレベータの乗りかご。
【請求項２】
前記遮蔽部材は、ダクトを含む、請求項１に記載のエレベータの乗りかご。
【請求項３】
前記遮蔽部材と前記第一の壁部または前記第二の壁部との間に、隙間が設けられた、請求項１または２に記載のエレベータの乗りかご。
【請求項４】
前記遮蔽部材は、断熱材によって構成された、請求項１〜３のうちいずれか一つに記載のエレベータの乗りかご。
【請求項５】
かごの側面を構成する第一の壁部と、
前記第一の壁部と間隔をあけて設けられ、当該第一の壁部との間に空調装置で調整された調整気流が吹き出されるよう構成された第二の壁部と、
前記第一の壁部および前記第二の壁部のうち少なくとも一方に設けられ、当該一方を温めることによって前記調整気流が前記一方に当たることで生じる結露を抑制する電熱線と、
を備えた、エレベータの乗りかご。
【手続補正２】
【補正対象書類名】明細書
【補正対象項目名】０００５
【補正方法】変更
【補正の内容】
【０００５】
実施形態のエレベータの乗りかごは、例えば、第一の壁部と、第二の壁部と、遮蔽部材と、を備える。第一の壁部は、かごの側面を構成する。第二の壁部は、第一の壁部と間隔をあけて設けられる。遮蔽部材は、第一の壁部と第二の壁部との間に設けられ、空調装置で調整され第一の壁部と第二の壁部との間に吹き出された調整気流が少なくとも第一の壁部に当たるのを遮る。遮蔽部材には、第二の壁部の第一の下端面と同一平面上に並ぶように位置された第二の下端面と、第二の下端面と当該遮蔽部材の調整気流側の内面との間に渡って設けられ調整気流の上流側から下流側に向かって第一の壁部から離れるように延びた傾斜面と、が設けられる。